(57)【要約】【課題】  電磁弁の故障や停電など自動化の構成が使用不能の際に、吐水のための手動操作が容易に行える操作手段を有し、子どもや老人などにも簡単に取り扱いでき、自動化運転が行えるフラッシュバルブの駆動装置を提供すること【解決手段】  シリンダ２にピストンバルブ２１を装着して弁座２２に対して昇降可能とし、シリンダ２の上部は基台１が被さり圧力室２３をなす構成とし、下流側の取付孔２８には止め栓３を装着して管路５により基台１の継手管４と配管する。基台１には継手管４の他に電磁弁６，機械弁１０を配置し、圧力室２３側に開口する継手管７を２つ組み付け、これらを自在管１１により配管して２つ並列の管路を形成する。圧力室２３と止め栓３とを連ねる第１管路は途中の電磁弁６により排水を制御し、吐水の自動化運転が行える。第２管路は途中の機械弁１０により排水を制御し、手動操作により吐水が行える。【選択図】        図１
2006112092.tif 000002
【特許請求の範囲】
【請求項１】
手動式のフラッシュバルブに組み付けて吐水動作を自動化し得るようにするフラッシュバルブの駆動装置であって、
前記フラッシュバルブは、ハウジングに備えたシリンダにピストンバルブを装着して弁座に対して昇降可能とし、前記シリンダの上部はキャップ部材が一体に被さり圧力室をなす構成であり、
前記キャップ部材と置き換えて圧力室の上蓋をなす基台と、手動操作のためのハンドルの取付部に置き換えて装着する止め栓とを有し、
前記基台と前記止め栓とを連ねる管路を２つ並列に設けて、第１管路の途中に電磁弁を設けると共に、第２管路の途中には押しボタンにより開閉する機械弁を設けることを特徴とするフラッシュバルブの駆動装置。
【請求項２】
前記基台にはカバー部材を被せ、
そのカバー部材の内部に前記第１管路と前記電磁弁と前記第２管路と前記機械弁とを配置し、
前記押しボタンは、前記カバー部材の上方に設置したことを特徴とする請求項１に記載のフラッシュバルブの駆動装置。
【発明の詳細な説明】
【技術分野】
【０００１】
本発明は、吐水動作を自動化し得るようなフラッシュバルブの駆動装置に関するもので、より具体的には、フラッシュバルブの圧力室に開口してピストンバルブの下流側に連なる起動のための管路の改良に関する。
【背景技術】
【０００２】
よく知られているように、フラッシュバルブは、ハウジングに備えたシリンダにピストンバルブを装着して弁座に対して昇降可能とし、シリンダの上部はキャップ部材が一体に被さり圧力室をなし、ピストンバルブには、圧力室の水を下流側へ排出させるための逃がし弁と、給水側から水を圧力室に導くための小孔を設けている。そして、ハンドルの操作により逃がし弁を押し動かし、これによる排水に伴うピストンバルブの急速な上昇により、給水側から下流側へ吐水させ、ピストンバルブが上昇した後は、小孔を通じて給水側から水が緩やかに圧力室に流入するので、やがてピストンバルブが下降して自動的に水が止まることになる。
【０００３】
また、吐水の起動には、逃がし弁による排水動作は必ずしも必要なく、例えば特許文献１などに見られるように、ピストンバルブには逃がし弁を設けない構成を採り、この場合、圧力室からピストンバルブの下流側に連なる管路を設けて、圧力室の水を下流側にバイパスすることで起動させるようになっている。このバイパス管路を設ける構成は、吐水動作の自動化が容易であり、例えば特許文献２などに見られるように、当該管路の途中に電磁弁を配置してセンサ手段からの検知信号によりオン，オフ動作させる構成とし、吐水動作を自動化するような提案がある。
【特許文献１】特開２００３−２７８２１４号公報
【特許文献２】特開平１１−１４８１６０号公報
【発明の開示】
【発明が解決しようとする課題】
【０００４】
ところで、吐水動作を自動化することでは、電磁弁の故障や停電など自動化の構成が使用不能の際に、手動により吐水を行えるようにする必要がある。特許文献２のものは、ピストンバルブは既設の一般的なものであって逃がし弁を有し、しかし手動のための操作手段は、横から握ってひねり操作する一般的なハンドルではなく、押しボタンの操作部を配置して逃がし弁を押し動かす構成を採っている。この場合、押し操作する押しボタンは、逃がし弁を直接的に押し動かす構成であるため、押す力が強く必要になり、子どもや老人など操作力が弱い利用者には操作が容易ではなく困難がある。
【０００５】
この発明は上記した課題を解決するもので、その目的は、電磁弁の故障や停電など自動化の構成が使用不能の際に、吐水のための手動操作が容易に行える操作手段を有し、子どもや老人などにも簡単に取り扱いでき、自動化運転が行えるフラッシュバルブの駆動装置を提供することにある。
【課題を解決するための手段】
【０００６】
上記した目的を達成するために、本発明に係るフラッシュバルブの駆動装置は、手動式のフラッシュバルブに組み付けて吐水動作を自動化し得るようにするものであって、
前記フラッシュバルブは、ハウジングに備えたシリンダにピストンバルブを装着して弁座に対して昇降可能とし、前記シリンダの上部はキャップ部材が一体に被さり圧力室をなす構成であり、前記キャップ部材と置き換えて圧力室の上蓋をなす基台と、手動操作のためのハンドルの取付部に置き換えて装着する止め栓とを有し、前記基台と前記止め栓とを連ねる管路を２つ並列に設けて、第１管路の途中に電磁弁を設けると共に、第２管路の途中には押しボタンにより開閉する機械弁を設ける。
【０００７】
係る構成にすることにより本発明では、電磁弁を開くと、圧力室の水は第１管路を通ってフラッシュバルブの下流側へ排出し、このため、給水側の水圧が高くなりピストンバルブが圧力室側へ押し上げられて弁座が開き、給水側から勢いよく水が流れ込んで吐水し、洗浄が行える。電磁弁は信号制御することができ、したがって、自動化運転が行える。
【０００８】
そして、第１管路に並列に設けた第２管路の機械弁を開くことでは、圧力室の水は第２管路を通ってフラッシュバルブの下流側へ排出し、このため、給水側の水圧が高くなりピストンバルブが圧力室側へ押し上げられて弁座が開き、給水側から勢いよく水が流れ込んで吐水し、洗浄が行える。したがって、電磁弁の故障や停電など自動化の構成が使用不能の際でも、手動操作により吐水させることができる。
【０００９】
この場合、機械弁は押しボタンの操作力が適宜なものを選定できる。つまり、特許文献２のように、既設のピストンバルブについて逃がし弁を操作するものでは、逃がし弁を動かすための操作力は該当ピストンバルブそのもので予め決まっており既存設備であるため変更できないが、本発明に係る機械弁は設計時に適正に選定でき、弱い操作力で押し操作し得るものにすることができる。
【００１０】
また、前記基台にはカバー部材を被せ、そのカバー部材の内部に前記第１管路と前記電磁弁と前記第２管路と前記機械弁とを配置し、前記押しボタンは、前記カバー部材の上方（上面・天面）に設置するとよい。係る構成をとると、押しボタンの操作性が良くなる。
【発明の効果】
【００１１】
本発明に係るフラッシュバルブの駆動装置では、既設のフラッシュバルブにおいて圧力室と下流側とを連ねる管路を２つ並列に設けて、第１管路の途中に電磁弁を設けると共に、第２管路の途中には押しボタンにより開閉する機械弁を設けるので、第１管路の電磁弁を開くことでピストンバルブを押し上げさせて開弁でき、吐水が行える。そして、第２管路の機械弁を開くことでも、ピストンバルブを押し上げさせて開弁でき、吐水が行える。
【００１２】
したがって、電磁弁を信号制御することにより自動化運転が行えて、電磁弁の故障や停電など自動化の構成が使用不能の際には、機械弁を手動操作することで吐水が行える。
機械弁は押しボタンの操作力が適宜なものを選定でき、弱い操作力で押し操作し得るものにすることができるので、子どもや老人などにも簡単に取り扱いできる。
【発明を実施するための最良の形態】
【００１３】
図１は、本発明に係るフラッシュバルブの駆動装置の好適な一実施の形態を示す断面図である。本形態において、フラッシュバルブの駆動装置は、既設のキャップ部材と置き換えて圧力室２３の上蓋をなす基台１を有し、下流側に組み付けた止め栓３と基台１とを連ねる管路を２つ並列に設けて、圧力室２３の水をピストンバルブ２１の下流側にバイパスし、吐水動作を自動化し得るような構成になっている。
【００１４】
このフラッシュバルブは、基本的には公知の一般的な手動式の構成と変わりない。すなわち、ハウジング２０に備えたシリンダ２にピストンバルブ２１を装着して弁座２２に対して昇降可能とし、シリンダ２の上部は基台１が被さり圧力室２３をなす構成になっている。
【００１５】
ピストンバルブ２１は、いわゆる節水型に構成してあり、２次側に開口する逃がし弁２４を設け、その上方で圧力室２３側には節水動作のための節水弁２５を配置し、給水側から節水弁２５に連なる第１小孔２６と、給水側から圧力室２３に連なる第２小孔２７とを設けている。
【００１６】
手動式のフラッシュバルブでは、キャップ部材とシリンダは一体化した構成が多い。このため、本形態ではシリンダ２はフラッシュバルブが有する既設の部品ではなく、駆動装置の側に備えた筒状の部品でありこれを基台１と嵌め合わせて一体化し、これらを置き換え部品としてハウジング２０に組み付けている。
【００１７】
弁座２２の下流側には、手動操作のためのハンドルの取付孔２８が形成してある。この取付孔２８には、ハンドルおよびその取付部に置き換えて止め栓３を装着し、そして基台１には継手管４を設けてあり、止め栓３と継手管４との間に管路５を配置している。
【００１８】
基台２には、上記した継手管４と共に電磁弁６を配置してあり、圧力室２３側に開口するように孔を設けて継手管７を２つ組み付けてある。この基台２にはカバー部材８を被せる構成であり、カバー部材８の天面にはシリコンゴム等の弾性を有した薄膜部材からなる薄膜部９を設け、電磁弁６の上方に機械弁１０を配置して、機械弁１０の押しボタンが薄膜部９に突き出すようになっている。
【００１９】
２つの継手管７，電磁弁６，機械弁１０、そして管路５と連なる継手管４について、シリコンゴム等の弾性部材からなる自在管１１により配管してあり、第１管路は一方の継手管７から電磁弁６を介して継手管４に至る経路に配管してあって、第２管路は他方の継手管７から機械弁１０を介して電磁弁６の下流側に至る経路に配管してある。つまり、自在管１１を配管することで、基台１から止め栓３に連なる管路を２つ並列に形成していて、図２に示すように、第１管路の途中に電磁弁６を設けると共に、第２管路の途中には押しボタンにより開閉する機械弁１０を設けている。
【００２０】
電磁弁６は、ソレノイドを図示しないセンサ手段と電気的に接続してあり、そのセンサ手段から送られる駆動信号によりオン，オフ動作する構成である。センサ手段は、例えば赤外線センサにより利用者を検知し、その検知時間に応じて適宜なオン信号を電磁弁６に送り、小洗浄，大洗浄あるいは自動洗浄の運転を行わせるようになっている。例えば、検知時間が２分以下のときは小洗浄と判断して短いオン時間となる信号（小洗浄信号）を送り、電磁弁６のオン時間を短く制限して吐水量を少量とし、そして２分を上回るときは大洗浄と判断して長いオン時間となる信号（大洗浄信号）を送り、電磁弁６のオン時間を長く制御して吐水量を大量とするように動作する。また、センサに手をかざす時間に応じて洗浄動作を適宜に判定させることができ、例えば１秒間手をかざすことで「手かざし有り」と判定し、利用者検知の長短とつき合わせて小洗浄，大洗浄の何れかの信号を送る設定を採ることができる。あるいは、設備保護のために所定の周期（例えば２４時間）で電磁弁６にオン信号を送り、自動的に洗浄を起動させる運転を行う設定も採れる。
【００２１】
つまり、センサ手段による自動運転では次のように動作する。電磁弁６がオンすると、圧力室２３の水は管路５を通って下流側（２次側流路）に流れる。これにより、給水側の水圧が高くなり圧力バランスが崩れてピストンバルブ２１が上方の圧力室２３の側へ押し上げられて弁座２２が開き、給水側から勢いよく水が流れ込むことになり、２次側流路の先に連なる便器において吐水し、洗浄が行える。
【００２２】
そして、ピストンバルブ２１には圧力室２３と連なる小孔２６，２７を設けてあるので、弁座２２から浮いた状態でも給水が小孔２６，２７から圧力室２３側に流入し、電磁弁６がオフになると、圧力室２３の水圧が上がってくるので、やがてピストンバルブ２１が押し下げられて弁座２２を閉じ、２次側流路への排水が止まる。
【００２３】
一方、センサや電磁弁等の故障時や、停電時などの自動運転ができない場合等に行う手動運転では、機械弁１０の押しボタンスイッチを押せばよい。これにより、機械弁１０が機械的に開弁し、圧力室２３の水は管路５を通って下流側（２次側流路）に流れる。したがって、給水側の水圧が高くなり圧力バランスが崩れてピストンバルブ２１が上方の圧力室２３の側へ押し上げられて弁座２２が開き、給水側から勢いよく水が流れ込むことになり、２次側流路が連なる先の便器において吐水し、洗浄が行える。
【００２４】
このように、既設のフラッシュバルブにおいて圧力室２３と下流側とを連ねる管路を２つ並列に設けて、第１管路の途中に電磁弁６を設けると共に、第２管路の途中には押しボタンにより開閉する機械弁１０を設けるので、第１管路の電磁弁６を開くことでピストンバルブ２１を押し上げさせて開弁でき、吐水が行える。そして、第２管路の機械弁１０を開くことでも、ピストンバルブ２１を押し上げさせて開弁でき、吐水が行える。
【００２５】
すなわち、電磁弁６を信号制御することにより自動化運転が行えて、電磁弁６の故障や停電など自動化の構成が使用不能の際には、機械弁１０を手動操作することで吐水が行える。そして、機械弁１０は押しボタンの操作力が適宜なものを選定でき、弱い操作力で押し操作し得るものにすることができるので、子どもや老人などにも簡単に取り扱いできる。
また、既設のフラッシュバルブに装着させるので、既存設備を再利用することができ、コスト面に有利性がある。
【図面の簡単な説明】
【００２６】
【図１】本発明に係るフラッシュバルブの駆動装置の好適な一実施の形態を示す断面図である。
【図２】図１の駆動装置における流路の配管を示す構成図である。
【符号の説明】
【００２７】
１  基台
２  シリンダ
３  止め栓
４，７  継手管
５  管路
６  電磁弁
８  カバー部材
９  薄膜部
１０  機械弁
１１  自在管
２０  ハウジング
２１  ピストンバルブ
２２  弁座
２３  圧力室
２４  逃がし弁
２５  節水弁
２６  第１小孔
２７  第２小孔
２８  取付孔
【図１】
2006112092.tif 000003
【図２】
2006112092.tif 000004